(57)【特許請求の範囲】
【請求項１】
液状貯蔵物を貯蔵する液体貯蔵容器の排出口の内側に設けられ止水栓と止水部を備え排出口の開閉を行う出口弁において、前記出口弁は止水栓の上部に凹状の均圧弁室を形成し、この凹状の均圧弁室の底面と止水栓の下面の間に貫通する孔でなる複数の均圧路を穿設し、止水栓の中心に操作ロッドを上下摺動自在に挿通する孔を穿設し、この操作ロッドの下端に弁当板を持着して止水栓の下面を釣支し、さらに、止水栓の均圧弁室の底面に当接し側面に緩く嵌合する均圧弁を操作ロッドに固着した構成とし、前記操作ロッドを下げることにより均圧弁にて均圧弁室の均圧路を塞ぎ止水栓を止水部に圧接させて出口弁を閉とし、操作ロッドを引き上げることにより最初に均圧弁が上り均圧弁室の均圧路を開放し続いて弁当板にて止水栓を止水部から釣り上げ出口弁を開とするものとした出口弁。
【請求項２】
前記止水栓および均圧弁の外形、均圧弁室の凹状内形および止水部内形を円錐台とした請求項１記載の出口弁。
【請求項３】
前記操作ロッドを上方で軸支する操作ロッドガイド上および下方で軸支する操作ロッドガイド下を止水部と同心に設け、操作ロッドにて止水栓を上げ下げする時、操作ロッドを上下２か所で軸支して案内することにより止水栓の傾斜を防止できるものとした請求項１又は２記載の出口弁。
【請求項４】
前記操作ロッドを上下に操作する操作部を液体貯蔵容器の上部に設け、この操作部は対震自動操作機能を備え、操作部は所定地震振動時に止水栓を閉とするよう操作するものとした請求項１、２又は３記載の出口弁を備えた液体貯蔵容器。
【発明の詳細な説明】
【０００１】
【発明の属する技術分野】
本発明は、水道用の受水槽や貯水タンク、あるいは薬剤貯蔵容器や液体燃料貯蔵タンク等で代表される液体貯蔵容器の排出口に設ける出口弁において、排出口内側に止水栓で構成した出口弁に関するものである。
【０００２】
【従来の技術】
従来の貯蔵容器、例えば集合住宅やビルディングの屋上に設置されている貯水タンクでは、図５に示すごとく、貯水タンク１の排出口３に止水栓を備えた出口弁５を設け、止水栓操作用にロッド、ワイヤー、チェーン等からなる止水栓の引抜装置２５を設け、排出口３の下流側の主配管２６に均圧弁２７とその均圧用補助配管２８を並列に接続し、エアー抜き弁２９を取り付けたものがある。出水時は均圧弁２７を開いて減圧してから、引抜装置２５により止水栓を引き抜き出口弁５を開としていた。
【０００３】
近年になり、この種の貯水タンクに排水口の外側に配水管を介して対震自動操作式の出口弁と給水用のポンプを備え、平常時は、出口弁を開いた状態としポンプで配水することにより、貯水タンクは水道管の一部として機能し、予め設定された所定震度以上の地震が発生した場合には、自動的に出口弁を閉じ貯水タンク内に貯蔵された水道水の漏出防止を図るようにしたもの（例えば特開平９−３０５９４号公報参照）も製造されるようになってきた。
【０００４】
【発明が解決しようとする課題】
この従来の排出口３の出口弁５を止水栓で構成したものでは、出口弁５の口径が大きくなると出水時に止水栓を引き抜く操作力が水圧により大となるので、引き抜き圧力の低減を図るために、図５に示す如く均圧弁２７とその均圧用補助配管２８やエアー抜き弁２９を取り付ける必要があるため、また、止水栓の操作部は引抜装置（ロッド、ワイヤー、チェーン等）２４を丈夫にするとともに、その操作装置も大きなものとなり、部品や配管が多くなり、部品代等の費用が高くなり、また、組立て工数も多くなっていた。
【０００５】
浴槽等の止水栓においては、止水栓を円錐の内栓と外栓で構成し、外栓の下方に孔を備えた外栓引き抜き座を設け、この外栓引き抜き座を内栓の下部に一体の軸で連結し、配水時は初めに内栓を開き、外栓引き抜き座の孔により減圧してから外栓引き抜き座にて外栓を開くことにより、止水栓を抜きやすくしたもの（例えば特開平８−２９５３６０号公報参照）があるが、止水栓を閉じるためには手動で、まず外栓を平らに押し込み、次いで内栓を平らに押し込まねばならず、面倒でもあり、貯水タンクの如く、上面が密閉されているものには使用できない。尚、もともと浴槽等の止水栓は貯水タンクに比し口径が小さいので、止水栓にかかる水圧が小さく止水栓を抜く力も少なくて済むものであった。
【０００６】
また、対震自動操作式の出口弁を備えたものでは、ポンプや出口弁は大口径で重量も大であるため、大地震時にはポンプや出口弁が起振源になりやすく、貯水タンクと出口弁のあいだの配水管が破損することが起こり、出口弁が閉じても貯水タンク内の水が全て失われる畏れがあった。
【０００７】
【課題を解決するための手段】
上記の課題を解決するために、本発明は、液体貯蔵容器の排出口の内側に設ける出口弁を、均圧弁を備えた止水栓で構成し、均圧弁とその均圧用配管やエアー抜き弁等必要とせず、操作部も小型軽量にすることができる出口弁とする。
【０００８】
【発明の実施の形態】
本発明は、液状貯蔵物を貯蔵する液体貯蔵容器の排出口の内側に設けられ止水栓と止水部を備えた出口弁において、出口弁は止水栓の上部に凹状の均圧弁室を形成し、この凹状の均圧弁室の底面と止水栓の下面の間に貫通する孔でなる複数の均圧路を穿設し、止水栓の中心に操作ロッドを上下摺動自在に挿通する孔を穿設し、操作ロッドの下端に弁当板を持着して止水栓の下面を釣支し、さらに、止水栓の均圧弁室底面に当接し側面に緩く嵌合する均圧弁を操作ロッドに固着した構成とした。（補正の内容）
【０００９】
止水栓の外形および均圧弁の外形、均圧弁室の凹状内形および止水部内形、均圧弁室の凹状内形および均圧弁の外形は、円錐台とし、均圧弁と均圧弁室が当接し閉止できるようにした。
【００１２】
このように構成した出口弁は、操作ロッドを下げることにより均圧弁にて均圧路を塞ぎ止水栓を止水部に押しつけて出口弁を閉とし、液体貯蔵容器の排出口からの液体排出を停止する。また、操作ロッドを引き上げることにより最初に均圧弁が上り均圧路を開放して、止水栓にかかる圧力が減圧する。続いて弁当板にて止水栓を容易に釣上げることができ、出口弁は開となり液体貯蔵容器の排出口から液体が排出される。
【００１３】
また、上記止水栓が上記いずれの形状の場合も、操作ロッドを上方で軸支する操作ロッドガイド上および下方で軸支する操作ロッドガイド下を止水部と同心に設けると、操作ロッドにて止水栓を上げ下げする時、操作ロッドを上下２か所で軸支して案内するので、止水栓の傾斜を防止でき、出口弁の開閉が確実に行われる。
【００１４】
さらに、液状貯蔵物を貯蔵する液体貯蔵容器において、操作ロッドを上下に操作する操作部を液体貯蔵容器の上部に設け、この操作部は対震自動操作機能を備えたものとすると、所定地震振動時に操作部は止水栓を閉とするよう操作するので、液体貯蔵容器内の液体の排出が停止され、地震発生時にも液体貯蔵容器内の液体の確保ができる。
【００１５】
【実施例】
以下本発明の一実施例を図１、図２、図３および図４により説明する。
図１は本発明の液体貯蔵容器の一実施例を示す構成図であり、図２は同出口弁の要部断面図であり、図３は出口弁の第２の実施例を示す要部断面図であり、図４は出口弁の第３の実施例を示す要部断面図である。
【００１６】
図１、図２において、１は液状貯蔵物（例えば水道水、薬剤や石油等）を貯蔵する液体貯蔵容器（貯水タンク、薬剤貯蔵タンクや石油貯蔵タンク等、以下貯水タンクと記す）、２は貯水タンク１の上部に開口された水道水の補給口、３は貯水タンク１の下部に開口された排出口、４は排出口３に連結された配水管、５は排出口３の内側に設けられた出口弁、６は貯水タンク１上部に設けられ出口弁を操作する操作部である。
【００１７】
出口弁５は、排出口３の内側（貯水タンク１内）に設けられ、止水部７と、止水部７に当接し止水する円錐台形の止水栓８と、止水栓８を操作する操作ロッド９とで構成し、止水栓８の上部に凹状円錐台形の均圧弁室１０を形成し、この均圧弁室１０の底面と止水栓８の下面の間に適数の均圧路１１を穿設し、止水栓８の中心上から下に前記操作ロッド９を摺動自在に挿通し、操作ロッド９の下端に弁当板１２を持着して止水栓８の下面を釣支し、さらに、止水栓８の均圧弁室１０の底面に当接し側面に緩く嵌合する円錐台形の均圧弁１３を操作ロッド９に固着したものである。
【００１８】
操作部６は所定地震振動時に地震信号を出し、地震信号により出口弁４を閉とする対震自動操作機能を備えている。
【００１９】
図３において、止水栓１７の中心を上から下に貫通する円錐状の均圧路１８を穿設し、この円錐状の均圧路１８に当接し緩く嵌合する均圧弁１９を下端に形成した操作ロッド２０を設け、この操作ロッド２０の下端に弁当板１２を持着して止水栓１７の下面を釣支した構成であり、均圧弁１９と止水栓１７の間隙が均圧弁室２１に相当する。
【００２０】
図４において、２２は外形を円板状とした止水栓であり、２３は止水部基台２４の上面に設けられ円板状の止水栓２２の下面と当接する輪状の止水部であり、円板状の止水栓２２は出口弁５の口径がより大きく１５０ｍｍ以上の場合に用いることが多いものである。その他の構成は図２と同様であることから同一構造部分には同一の符号を附し詳細な説明は省略する。
【００２１】
図２、図３および図４において、１４は止水部７、２３の基台上に複数個設けられ止水栓８、１７、２２を上下に案内する止水栓ガイドであり、１５は止水栓ガイド１４に取り付けられ操作ロッド９、２０を下方で軸支する操作ロッドガイド下であり、１６は操作ロッドガイド下１５に取り付けられ操作ロッド９、２０を上方で軸支する操作ロッドガイド上であり、いずれも止水部７、２３と同心に設けてある。
【００２２】
以下上記構成からなる本実施例の作用を説明する。
【００２３】
平常時は、貯水タンク１は水道管の一部として機能し、補給口２から水道水が入り貯水タンク１内に貯水し、配水を停止する際は、操作部６にて操作ロッド９、２０を介して止水栓８、１７、２２を下げることにより、凹状の均圧弁室１０、２１底面に当接し側面に緩く嵌合し均圧弁室１０、２１に着脱自在な均圧弁１３、１９にて均圧路１１、１８を塞ぎ、続いて止水栓８、１７、２２を止水部７、２３に押しつけて出口弁５を閉とし、排出口３から配水管４への配水を停止する。配水する際は、操作部６にて操作ロッド９、２０を引き上げることにより、最初に均圧弁１３、１９が上り、均圧弁室１０、２１を介して均圧路１１、１８を開放して止水栓８、１７、２２にかかる圧力が低減され、続いて弁当板１２にて止水栓８、１７、２２を容易に釣り上げる（従来の均圧路１１、１８を閉じた状態に比し半分以下の力で釣り上げられる）ことができ、排出口３を開とし、配水管４を介して各区画（家庭等）へ配水される。
【００２４】
従って、出口弁５の口径が大きくなっても、止水栓８、１７、２２に均圧弁室１０、２１と均圧路１１、１８を形成し、操作ロッド９、２０に均圧弁１３、１９を加えた簡単な構成で、止水栓８、１７、２２にかかる圧力が低減され止水栓８、１７、２２を容易に持ち上げて、出口弁５を開くことができるので、従来例の如き、複雑な均圧弁とその均圧弁用配管やエアー抜き弁等は必要とせず、操作部も小型軽量にすることができる。
【００２５】
また、操作ロッド９、２０にて止水栓８、１７、２２を上げ下げする時、止水栓ガイド１４で止水栓８、１７、２２を案内するとともに、操作ロッドガイド下１５および操作ロッドガイド上１６にて操作ロッド９、２０を上下２か所で軸支して案内するので、止水栓８、１７、２２の傾斜を防止でき、出口弁５の開閉が確実に行われる。特に出口弁５の口径が大きく傾きやすい円板状の止水栓２２を用いた場合に効果が大である。
【００２６】
地震発生時は、例えば予め震度５と設定したものであれば、ブロック塀が倒れたり、窓ガラスが壊れ落ちるような震度５の地震振動時には、操作部６は地震信号を出し、地震信号により操作ロッド９、２０を介して出口弁５の止水栓８、１７、２２を下げ出口弁５を閉とするよう操作するので、排出口３からの配水を停止し漏水を防ぎ貯水タンク１内の飲料水を確保できる。
【００２７】
また、建物被害が出るような震度６とか震度７クラスの大地震発生時には衝撃も大きく、万一排出口３近傍部分の配水管５が破壊されることが起きても、排出口３内側の出口弁５が閉じるので貯水タンク１からの漏水を止めることができ、貯水タンク１内の飲料水を確保することができる。
【００２８】
なお、前記実施例においては、止水栓８、１７の外形、均圧弁室１０、２１の凹状内形および均圧弁１３、１９の外形は円錐台としたが、本発明はこれに限定するものでなく、均圧弁と均圧弁室が当接し閉止できるものであれば、球又は弾丸球のいずれでもよい。
【００２９】
また、操作ロッドガイド下１５および操作ロッドガイド上１６をもうけ、操作ロッド９、２０を上下２か所で軸支して案内し、止水栓８、１７、２２の傾斜を防止する構造は、均圧弁室１０、２１と均圧路１１、１８と均圧弁１３、１９を備えていぬ止水栓の場合にも効果がある。
【００３０】
【発明の効果】
本発明は、液状貯蔵物を貯蔵する液体貯蔵容器の排出口の内側に設ける出口弁において、止水栓に凹状の均圧弁室を形成し、この凹状の均圧弁室の底面と止水栓の下面の間に貫通する孔でなる複数の均圧路を穿設し、止水栓の中心に操作ロッドを摺動自在に挿通する孔を穿設し、操作ロッドの下端に止水栓の下面を釣支する弁当板を持着し、止水栓の均圧弁室底面に当接し側面に緩く嵌合する均圧弁を操作ロッドに形成したから、従来例の如き、均圧弁とその均圧用配管やエアー抜き弁等は必要とせず簡単な構成で、均圧弁は止水栓の均圧弁室底面に当接し側面に緩く嵌合し均圧路を塞ぎ、出口弁の口径が大であっても、減圧されるので止水栓を軽い力で容易に持ち上げて、出口弁を開くことができる。従って、操作部も小型軽量にすることができ、部品代等の費用が安く、組立て上数も少なく経済的な出口弁が提供できる。
【００３１】
また、操作ロッドを上方で軸支する操作ロッドガイド上および下方で軸支する操作ロッドガイド下を止水部と同心に設けたから、出口弁の口径が特に大で、円板状の止水栓を用いた場合でも操作ロッドにて止水栓を上げ下げする時の止水栓の傾斜を防止でき、開閉が確実に行うことができる出口弁が得られる。
【００３２】
さらに、操作ロッドを上下に操作する操作部を液体貯蔵容器の上部に設け、この操作部は対震自動操作機能を備えたから、所定地震振動時に操作部は止水栓を閉とするよう操作し、液体貯蔵容器内の液体の排出が停止され、地震発生時にも液体貯蔵容器内の液体の確保ができる。
【図面の簡単な説明】
【図１】本発明の液体貯蔵容器の一実施例を示す構成図である。
【図２】同じく出口弁を示す要部断面図である。
【図３】出口弁の第２の実施例を示す要部断面図である。
【図４】出口弁の第３の実施例を示す要部断面図である。
【図５】液体貯蔵容器の従来例を示す構成図である。
【符号の説明】
１  液体貯蔵容器（貯水タンク）
３  排出口
５  出口弁
６  操作部
７、２３  止水部
８、１７、２２  止水栓
９、２０  操作ロッド
１０、２１  均圧弁室
１１、１８  均圧路
１２  弁当板
１３、１９  均圧弁
【図１】
0003610542.tif 000002
【図２】
0003610542.tif 000003
【図３】
0003610542.tif 000004
【図４】
0003610542.tif 000005
【図５】
0003610542.tif 000006